【手続補正書】
【提出日】平成24年6月13日(2012.6.13)
【手続補正１】
【補正対象書類名】特許請求の範囲
【補正対象項目名】全文
【補正方法】変更
【補正の内容】
【特許請求の範囲】
【請求項１】
内蔵する記憶媒体に記憶された画像データを表示する表示部を有する携帯型電子機器を着脱可能な載置台であって、
前記表示部を制御する制御信号を前記携帯型電子機器に送信する出力手段と、
前記表示部の表示画像を拡大するレンズと、
前記レンズによる歪みを補正する画像変換情報を前記出力手段により前記携帯型電子機器に送信することで、前記レンズによる歪みと逆方向に前記表示部の画像を予め歪むように表示させて、前記レンズに表示される表示画面を最適化する制御手段と、を備えることを特徴とする載置台。
【請求項２】
前記レンズの特性に基づいて前記画像変換情報を特定する歪み特定手段を更に備え、
前記制御手段は、前記歪み特定手段により特定された前記画像変換情報を前記出力手段により前記携帯型電子機器に送信することを特徴とする請求項１に記載の載置台。
【請求項３】
前記歪み特定手段は、更に前記表示部と前記レンズとの距離に基づいて画像変換情報を特定することを特徴とする請求項２に記載の載置台。
【請求項４】
前記表示部とレンズとの距離を調整できる距離調整手段と、
該距離調整手段により変更された前記表示部とレンズとの距離を測定する距離測定手段と、を有し、
前記歪み特定手段が、該距離測定手段からの距離情報に基づいて画像変換情報を特定することを特徴とする請求項３に記載の載置台。
【請求項５】
前記距離測定手段は、距離センサであることを特徴とする請求項４に記載の載置台。
【請求項６】
前記レンズに表示される表示画面に対応して表示領域のサイズを調整する表示領域調整手段を有していることを特徴とする請求項１乃至請求項５の何れかに記載の載置台。
【請求項７】
前記表示部とレンズとの距離及び前記レンズの特性に基づいて前記表示領域を自動で調整する表示制御手段を有していることを特徴とする請求項６に記載の載置台。
【請求項８】
前記表示領域調整手段は、液晶パネルであることを特徴とする請求項６又は請求項７に記載の載置台。
【請求項９】
前記表示制御手段が、前記携帯型電子機器の記憶媒体に記憶される撮影情報や日時情報を前記液晶パネルに表示させることを特徴とする請求項８に記載の載置台。
【請求項１０】
前記表示制御手段が、当該載置台或いは前記携帯型電子機器が保有する現在日時情報を前記液晶パネルに表示させることを特徴とする請求項８又は請求項９に記載の載置台。
【請求項１１】
前記表示領域調整手段は、矩形開口の上下幅及び左右幅を夫々調整することができる機械式シャッターであることを特徴とする請求項６又は請求項７に記載の載置台。
【請求項１２】
前記携帯型電子機器に電力を供給する充電手段を備えていることを特徴とする請求項１乃至請求項１１の何れかに記載の載置台。
【請求項１３】
請求項１記載の載置台と、
前記載置台から送信された画像変換情報に基づき、該載置台の備えるレンズによる歪みと逆方向に当該携帯電子機器の備える表示部の画像を予め歪むように表示させて、前記レンズに表示される表示画面を最適化する画像制御部を備える携帯電子機器と、
からなることを特徴とする表示制御システム。
【手続補正２】
【補正対象書類名】明細書
【補正対象項目名】発明の名称
【補正方法】変更
【補正の内容】
【発明の名称】載置台、及び表示制御システム
【手続補正３】
【補正対象書類名】明細書
【補正対象項目名】０００１
【補正方法】変更
【補正の内容】
【０００１】
本発明は、デジタルスチルカメラ等の小型表示装置付き携帯型電子機器を載置する載置台、及び表示制御システムに関する。
【手続補正４】
【補正対象書類名】明細書
【補正対象項目名】０００８
【補正方法】変更
【補正の内容】
【０００８】
本発明は、このような従来技術の問題点に鑑みてなされたものであり、携帯型電子機器を装着するだけで、デジタルフォトスタンドとして気軽に用いることのできる載置台であって、観賞する表示画面の拡大を自由に行うことのできる載置台、及び表示制御システムを提供することを目的としている。
【手続補正５】
【補正対象書類名】明細書
【補正対象項目名】０００９
【補正方法】変更
【補正の内容】
【０００９】
本発明の載置台は、内蔵する記憶媒体に記憶された画像データを表示する表示部を有する携帯型電子機器を着脱可能な載置台であって、前記表示部を制御する制御信号を前記携帯型電子機器に送信する出力手段と、前記表示部の表示画像を拡大するレンズと、前記レンズによる歪みを補正する画像変換情報を前記出力手段により前記携帯型電子機器に送信することで、前記レンズによる歪みと逆方向に前記表示部の画像を予め歪むように表示させて、前記レンズに表示される表示画面を最適化する制御手段と、を備えることを特徴とする。
また、前記レンズの特性に基づいて前記画像変換情報を特定する歪み特定手段を更に備え、前記制御手段は、前記歪み特定手段により特定された前記画像変換情報を前記出力手段により前記携帯型電子機器に送信することを特徴とする。
そして、前記歪み特定手段は、更に前記表示部と前記レンズとの距離に基づいて画像変換情報を特定することを特徴とする。
【手続補正６】
【補正対象書類名】明細書
【補正対象項目名】００１０
【補正方法】変更
【補正の内容】
【００１０】
さらに、本発明の載置台は、前記表示部とレンズとの距離を調整できる距離調整手段と、該距離調整手段により変更された前記表示部とレンズとの距離を測定する距離測定手段と、を有し、前記歪み特定手段が、該距離測定手段からの距離情報に基づいて画像変換情報を特定することを特徴とする。
【手続補正７】
【補正対象書類名】明細書
【補正対象項目名】００１３
【補正方法】変更
【補正の内容】
【００１３】
そして、前記表示部とレンズとの距離及び前記レンズの特性に基づいて前記表示領域を自動で調整する表示制御手段を有していることが好適である。
【手続補正８】
【補正対象書類名】明細書
【補正対象項目名】００１４
【補正方法】変更
【補正の内容】
【００１４】
さらに、前記表示領域調整手段は、液晶パネルであることが好適である。
【手続補正９】
【補正対象書類名】明細書
【補正対象項目名】００１５
【補正方法】変更
【補正の内容】
【００１５】
そして、前記表示制御手段が、前記携帯型電子機器の記憶媒体に記憶される撮影情報や日時情報を前記液晶パネルに表示させる。
【手続補正１０】
【補正対象書類名】明細書
【補正対象項目名】００１６
【補正方法】変更
【補正の内容】
【００１６】
また、前記表示制御手段が、当該載置台或いは前記携帯型電子機器が保有する現在日時情報を前記液晶パネルに表示させる。
【手続補正１１】
【補正対象書類名】明細書
【補正対象項目名】００１８
【補正方法】変更
【補正の内容】
【００１８】
さらに、この載置台は、前記携帯型電子機器に電力を供給する充電手段を備えている。
また、本発明の表示制御システムは、内蔵する記憶媒体に記憶された画像データを表示する表示部を有する携帯型電子機器を着脱可能な載置台であって、前記表示部を制御する制御信号を前記携帯型電子機器に送信する出力手段と、前記表示部の表示画像を拡大するレンズと、前記レンズによる歪みを補正する画像変換情報を前記出力手段により前記携帯型電子機器に送信することで、前記レンズによる歪みと逆方向に前記表示部の画像を予め歪むように表示させて、前記レンズに表示される表示画面を最適化する制御手段と、を備えることを特徴とする載置台と、前記載置台から送信された画像変換情報に基づき、該載置台の備えるレンズによる歪みと逆方向に当該携帯電子機器の備える表示部の画像を予め歪むように表示させて、前記レンズに表示される表示画面を最適化する画像制御部を備える携帯電子機器と、からなることを特徴とする。
【手続補正１２】
【補正対象書類名】明細書
【補正対象項目名】００１９
【補正方法】変更
【補正の内容】
【００１９】
本発明によれば、携帯型電子機器を装着するだけで、デジタルフォトスタンドとして気軽に用いることのできる載置台、及び表示制御システムであって、観賞する表示画面の拡大を自由に行うことのできる載置台、及び表示制御システムを提供することができる。